(57)【要約】  物体（１）の測定域（２）のスペクトル放射の空間分布を測定するためのシステム（１００）であって、第１の対物レンズ（２０２）と、前記第１の対物レンズによって形成される像の一部を選択するための手段（２０４）と、絞り（２０８）と、前記絞りの近傍に位置し、前記選択手段から来る光が分散できるようにする光分散手段（２１０）と、前記選択手段と前記絞りとの間に配置され、前記第１の対物レンズと相互作用して、前記第１の対物レンズ及び第２の対物レンズによって、前記絞りの開口部が前記測定域と光学的に共役になり、測定域になるようにする前記第２の対物レンズ（２０６）と、を備える。本発明によれば、前記第１の対物レンズは、所定のフーリエ面上に像を形成し、前記所定のフーリエ面上の各点は、１つの特定の波長について前記物体の放射方向に対応し、前記選択手段は、所定のフーリエ面に応じて決定される選択面を有し、前記選択手段は、前記所定のフーリエ面上に配置される。
2021519927.tif 000002
【特許請求の範囲】
【請求項１】
物体（１）の測定域（２）のスペクトル放射の空間分布を測定するためのシステム（１００）であって、前記システムの光軸に沿って順に、
−所定のフーリエ面（Ｓｆ１）上に像を形成する第１のフーリエ対物レンズ（２０２）であって、前記所定のフーリエ面（Ｓｆ１）上の各点は、１つの特定の波長について前記物体の放射方向に対応する、前記第１のフーリエ対物レンズ（２０２）、
−前記物体（１）の前記スペクトル放射の１つの特定の方位に対応する前記第１の対物レンズによって形成される前記像の一部を選択するための手段（２０４）であって、前記選択手段は、前記所定のフーリエ面に応じて決定される選択面を有する、前記選択手段（２０４）、
−前記選択手段（２０４）の後ろに配置され、前記測定域と光学的に共役な像平面を作るために前記第１のフーリエ対物レンズと協働する、第２のフーリエ対物レンズ（２０６）、
−前記測定域が絞り（２０８）を通して観測されるときに、前記測定域が前記方向にほとんど関係無い見かけ上の面を有し、前記第１の対物レンズ及び前記第２の対物レンズが前記システムの前記光軸を形成する共通の光軸を有するように、この共役な像平面上に位置する、前記絞り（２０８）、及び、
−前記選択手段から来る光が前記絞り（２０８）に向けて分散できるようにする、又は前記絞り（２０８）にできるだけ近接できるようにする、光分散手段（２１０）、
−前記絞り（２０８）の後ろに位置し、前記第１のフーリエ面（Ｓｆ１）がフーリエ平面（Ｓｆ２）上に結像できるようにする、第３のフーリエ対物レンズ（２１２）、
−この第２のフーリエ平面（Ｓｆ２）上に配置されたイメージングセンサ（３０２）であって、分散光が受光できるようにし、前記選択手段（２０４）によって選択された１つの特定の方位から来る光のスペクトル応答及び角度応答が決定できるようにする、前記イメージングセンサ（３０２）、
を備え、
−前記選択手段（２１０）は、前記物体のスペクトル放射の１つの特定の方位を選択するように、前記所定のフーリエ面（Ｓｆ１）上に配置されており、
−光分散手段（２１０）は、前記絞り（２０８）の近傍に、又は前記絞り（２０８）のできるだけ近接して、位置している、
ことを特徴とする、システム。
【請求項２】
前記絞り（２０８）は、円形の開口部を有する、先行する請求項に記載のシステム。
【請求項３】
前記分散手段は、プリズムと、伝送網と、光を一方向に分散させ、分散された光線を前記システムの前記光軸に集めるように配置されたプリズムと、の組合せによって形成され、前記絞りは、前記伝送網にできるだけ近接してこの装置に組み込まれている、先行する請求項のいずれかに記載のシステム。
【請求項４】
前記システムの前記光軸の周りで、前記選択手段（２０４）と前記光分散手段（２１０）とを同時に回転させる手段を備える、先行する請求項のいずれかに記載のシステム。
【請求項５】
システム（１００）によって物体（１）の測定域（２）のスペクトル放射の空間分布を測定するための方法であって、前記方法は、前記システムの光軸に沿って順に、
−所定のフーリエ面（Ｓｆ１）上に像を形成する第１のフーリエ対物レンズ（２０２）であって、前記所定のフーリエ面（Ｓｆ１）上の各点は、１つの特定の波長について前記物体の放射方向に対応する、前記第１のフーリエ対物レンズ（２０２）、
−前記第１の対物レンズによって形成される像の一部を選択するための手段（２０４）であって、前記選択手段は、前記所定のフーリエ面に応じて決定される選択面を有する、前記選択手段（２０４）、
−前記選択手段の後ろに配置され、前記測定域と光学的に共役な像平面を作るために前記第１のフーリエ対物レンズと協働する、第２の対物レンズ（２０６）、
−前記測定域が絞り（２０８）を通して観測されるときに、前記測定域が前記方向にほとんど関係無い見かけ上の面を有し、前記第１の対物レンズ及び前記第２の対物レンズが前記システムの前記光軸を形成する共通の光軸を有するように、この共役な像平面上に位置する、前記絞り（２０８）、
−前記絞り（２０８）の近傍に位置し、前記選択手段から来る光が分散できるようにする、光分散手段（２１０）、
−前記絞り（２０８）の後ろに位置し、前記第１のフーリエ面（Ｓｆ１）がフーリエ平面（Ｓｆ２）上に結像できるようにする、第３のフーリエ対物レンズ（２１２）、
−この第２のフーリエ平面（Ｓｆ２）上に配置されたイメージングセンサ（３０２）であって、分散光が受光できるようにし、前記選択手段（２０４）によって選択された１つの特定の方位から来る光のスペクトル応答及び角度応答が決定できるようにする、前記イメージングセンサ（３０２）、
を含み、
−前記選択手段（２１０）は、前記物体のスペクトル放射の特定の方位を選択するように、前記所定のフーリエ面（Ｓｆ１）上に配置されており、
−前記光分散手段（２１０）は、前記絞り（２０８）の近傍に、又は前記絞り（２０８）のできるだけ近接して、位置している、
ことを特徴とする、方法。
【発明の詳細な説明】
【発明の詳細な説明】
【０００１】
〔技術分野〕
本発明は、物体の角度分布及びスペクトル分布を同時に測定することができるようにする測定装置に関する。当該測定装置は、液晶スクリーン、プラズマスクリーン、エレクトロルミネセンスクリーン、又は他の種類のスクリーン等の放射スクリーン、並びに照明装置等の物体に適用される。
【０００２】
〔従来の技術〕
様々な物体による光の放射又は反射の比色特性を測定するための幾つかの技術が既知である。
【０００３】
本件に関しては、以下の文書を参照されたい：
［１］ＥＰ  ０  ２８６  ５２９  Ｂ１、
［２］ＦＲ  ２  ７２９  ２２０  Ａ、
［３］ＦＲ  ２  ７４９  ３８８  Ａ、
［４］ＦＲ  ２  ８００  １６３  Ａ１、
［５］“Ｖｉｅｗｉｎｇ  ａｎｇｌｅ  ｓｐｅｃｔｒａｌ  ａｎａｌｙｓｉｓ  ｏｆ  ＯＬＥＤ  ｄｉｓｐｌａｙ  ｌｉｇｈｔ  ｅｍｉｓｓｉｏｎ  ｐｒｏｐｅｒｔｉｅｓ，”  Ｐｉｅｒｒｅ  Ｂｏｈｅｒ，  Ｔｈｉｅｒｒｙ  Ｌｅｒｏｕｘ，  Ｔｈｉｂａｕｌｔ．  Ｂｉｇｎｏｎ，  Ｖｅｒｏｎｉｑｕｅ  Ｃｏｌｌｏｍｂ−Ｐａｔｔｏｎ，  ＩＤＷ，  ＩＳＳＮ  １８８３−２４９０／２１／０６４１，  ６４１  （２０１４）、
［６］“Ｎｅｗ  ｍｕｌｔｉｓｐｅｃｔｒａｌ  Ｆｏｕｒｉｅｒ  ｏｐｔｉｃｓ  ｖｉｅｗｉｎｇ  ａｎｇｌｅ  ｉｎｓｔｒｕｍｅｎｔ  ｆｏｒ  ｆｕｌｌ  ｃｈａｒａｃｔｅｒｉｚａｔｉｏｎ  ｏｆ  ＬＣＤｓ  ａｎｄ  ｔｈｅｉｒ  ｃｏｍｐｏｎｅｎｔｓ，”  Ｐｉｅｒｒｅ  Ｂｏｈｅｒ，  Ｔｈｉｅｒｒｙ  Ｌｅｒｏｕｘ，  Ｔｈｉｂａｕｌｔ．  Ｂｉｇｎｏｎ，  Ｄａｖｉｄ  Ｇｌｉｎｅｌ，  ＳＩＤ０８，  ＩＳＳＮ  ００８−０９６６Ｘ／０８／３９０３，  １５７１  （２００８）。
【０００４】
参照文献［１］に記載されているような、測定される物体の周りで光度計を動かすことからなる電気機械技術は、サンプリングによって実行されるため、非常に遅い。観察される各方向には、機械的なシステムの動きと特別な測定とが必要である。しかし、それらは、光度計を分光光度計に置き換えれば、選択された方向における良質なスペクトル測定ができるため、まだ使用されている。
【０００５】
観測方向に基づいて色を測定するために、イメージングセンサと関連するフーリエ光学系を用いることからなる技術が非常に広く用いられている。これは参考文献［３］に記載されている。このシステムの原理を、本出願の図１に示す。このシステムは、物体１の区域から放射された光を集光して焦点面３上の各観測方向に再集光できるように、フーリエ対物レンズ２を用いることからなる。この面は、視野レンズ４及び伝達対物レンズ（ｔｒａｎｓｆｅｒ  ｏｂｊｅｃｔｉｖｅ）６を用いて二次元センサ８上に再結像される。視野レンズ４と伝達対物レンズ６との間に配置され、物体１上の測定域と光学的に共役な絞り５により、測定域の見かけ上のサイズが観測方向に関係無く定義できるようになる。検出器の近くに配置されたフィルタ７により、システムによって分析される光を選択し、色を測定できるようになる。
【０００６】
放射される光の色を、波長におけるその分布を知らずに測定することには、難点があることがある。比色測定の精度は通常、波長の分布が分かっていれば、より良好である。ある場合には、スペクトル依存性により、観測された比色シフトの原因を推定することができる。これは、文献［５］にて説明されているように、エレクトロルミネセンススクリーンの場合である。結局、本来は放射性ではない面における反射率測定では、照明に使用される光源のスペクトルと、面で反射した後のスペクトルの変化とを知る必要がある。
【０００７】
放射性物体の角度依存性及びスペクトル依存性を同時に測定することの可能性は、フーリエ光学系を用いて既に商業的に実行されている［６］。スペクトル依存性は、着色フィルタ（図１の要素７）の代わりに、イメージングセンサの前に順に配置された一連のショートパス干渉フィルタによって測定される。しかし、フィルタの数は制限され（可視領域４００ｎｍ〜７００ｎｍにわたって３１個のフィルタが分布している）、それらの帯域幅は１０ｎｍのオーダーである。したがって、光度測定に必要な分解能は少なくとも４ｎｍであるのに対して、スペクトル分解能は制限される。さらに、スペクトルシグネチャを得るために必要とされる３１回の一連の測定は、比較的長い時間を要する。
【０００８】
フーリエ光学系と組み合わせたイメージング分光計の使用も、本出願人によって特許となっている［４］。このシステムの原理を図２ａ及び図２ｂに示す。光学要素は、検出部を除いて、参考文献［３］に記載され、図１にて示される従来のフーリエシステムで使用されるものと同様である。イメージングセンサ８は、システムの光軸が通り、１つの特定の方位を選択するスリット９によって置き換えられる。スペクトル解析は、分散要素１０、伝達光学系１１及び１１ｂ、並びにスリットの反対側に配置されたイメージングセンサ８から構成されている画像分光器を用いて行われる。この解決手法は、いくつかの欠点を有する。それは、追加の光学系を必要とするため、実行が複雑である。さらに、システムの位置合わせを成すことは非常に困難である。問題の光学系は、選択スリット９の前に位置するフーリエ光学系全体と同様に、無色でなければならず、このことは実用上の実現にあたって著しい光学的制約をもたらす。
【０００９】
本発明の特定の目的の１つは、上述の欠点を完全に、又は部分的に克服することであり、特に、十分なスペクトル分解能及び非常に短い測定時間で１つの特定の方位に沿って角度測定及びスペクトル測定を行えるようにする、最小限の数の構成要素を有する装置を提案することである。
【００１０】
〔発明の説明〕
本発明の第１の態様によれば、物体の測定域のスペクトル放射の空間分布を測定するためのシステムが提案され、当該システムは、
−所定のフーリエ面上に像を形成する第１のフーリエ対物レンズであって、前記所定のフーリエ面上の各点は、１つの特定の波長について前記物体の放射方向に対応する、前記第１のフーリエ対物レンズ、
−前記物体の前記スペクトル放射の１つの特定の方位に対応する前記第１の対物レンズによって形成される前記像の一部を選択するための手段であって、前記選択手段は、前記所定のフーリエ面に応じて決定される選択面を有する、前記選択手段、
−前記選択手段の後ろに配置され、前記測定域と光学的に共役な像平面を作るために前記第１のフーリエ対物レンズと協働する、第２のフーリエ対物レンズ、
−前記測定域が絞りを通して観測されるときに、前記測定域が前記方向にほとんど関係無い見かけ上の面を有し、前記第１の対物レンズ及び前記第２の対物レンズが前記システムの前記光軸を形成する共通の光軸を有するように、この共役な像平面上に位置する、前記絞り、
−前記選択手段から来る光が前記絞りに向けて分散できるようにする、又は前記絞りにできるだけ近接できるようにする、光分散手段、
−前記絞りの後ろに位置し、前記第１のフーリエ面がフーリエ平面上に結像できるようにする、第３のフーリエ対物レンズ、
−この第２のフーリエ平面上に配置されたイメージングセンサであって、分散光が受光できるようにし、前記第１のフーリエ面上に位置する前記選択手段によって選択された１つの特定の方位から来る光のスペクトル応答及び角度応答が決定できるようにする、前記イメージングセンサ、
を備える。
【００１１】
本発明によれば、前記第１の対物レンズは、所定のフーリエ面（平坦ではない）上に像を形成し、前記所定のフーリエ面上の各点は、１つの特定の波長について前記物体の放射方向に対応し、前記選択手段は、前記所定のフーリエ面に応じて決定される選択面を有し、前記選択手段は、前記所定のフーリエ面上に配置される。
【００１２】
また、前記光分散手段は、前記絞りの近傍に位置している。
【００１３】
前記絞りは、観測方向にほとんど関係無い見かけ上の面を有する物体上の測定域を定義できるようにし、したがって、広い観測角度においても、最適な集光を保証する。
【００１４】
有利には、前記絞りは、円形の開口部を有してもよい。
【００１５】
光分散要素は、前記絞りの前に、又は直接前記絞り上に配置することができる。
【００１６】
光分散要素は、選択方向に垂直な方向に光を分散させることができる。
【００１７】
一実施形態によれば、前記分散手段は、プリズムと、伝送網と、光を一方向に分散させ、分散された光線を前記システムの前記光軸に合わせるように配置されたプリズムと、の組合せによって形成されてもよく、前記絞りは、前記伝送網にできるだけ近接するようにこの装置に組み込まれている。
【００１８】
また、本発明によるシステムは、前記システムの前記光軸の周りで、前記選択手段と前記光分散手段とを同時に回転させる手段を備えてもよい。
【００１９】
本発明の第２の態様によれば、システムによって物体の測定域のスペクトル放射の空間分布を測定するための方法が提案され、前記システムは、
−所定のフーリエ面上に像を形成する第１のフーリエ対物レンズであって、前記所定のフーリエ面上の各点は、１つの特定の波長について前記物体の放射方向に対応する、前記第１のフーリエ対物レンズ、
−前記第１の対物レンズによって形成される像の一部を選択するための手段、
−前記選択手段の後ろに配置され、前記測定域と光学的に共役な像平面を作るために前記第１のフーリエ対物レンズと協働する、第２の対物フーリエレンズ、
−前記測定域が絞りを通して観測されるときに、前記測定域が前記方向にほとんど関係無い見かけ上の面を有し、前記第１の対物レンズ及び前記第２の対物レンズが前記システムの前記光軸を形成する共通の光軸を有するように、この共役な像平面上に位置する、前記絞り、
−前記絞りの近傍に位置し、前記選択手段から来る光が分散できるようにする、光分散手段、
−前記絞りの後ろに位置し、前記第１のフーリエ面がフーリエ平面上に結像できるようにする、第３のフーリエ対物レンズ、
−この第２のフーリエ平面上に配置されたイメージングセンサであって、分散光が受光できるようにし、前記選択手段によって選択された１つの特定の方位から来る光のスペクトル応答及び角度応答が決定できるようにする、前記イメージングセンサ、
を備える。
【００２０】
本発明による方法は、以下の工程を含む：
−所定のフーリエ面（平坦ではない）を決定する工程であって、前記所定のフーリエ面上の各点は、１つの特定の波長について前記物体の放射方向に対応する、工程、
−前記第１の対物レンズによって、前記所定のフーリエ面上に像を形成する工程、
−前記所定のフーリエ面に応じて決定される選択面を有し、前記所定のフーリエ面上に配置される選択手段によって、選択する工程。
【００２１】
〔図面の説明〕
本発明のさらなる利点及び特徴は、添付の図面を参照して、決して限定的ではない実行及び実施形態に関する以下の詳細な説明から、明らかになるのであろう：
図１は、従来技術によるシステムの概略図を表す；
図２は、従来技術によるシステムの概略図を表す；
図３は、本発明によるシステムの概略図を表す；
図４は、本発明によるシステムのフーリエ光学系の実施形態、及び前記光学系に関連する選択手段を表す；
図５は、フーリエ面における、図４に表されるフーリエ光学系の横方向色収差の影響の概略図である。
【００２２】
〔実施形態の説明〕
以下に記載される実施形態は決して限定するものではないので、記載される特性の選択のみを含むものとして本発明の変形形態を考慮することが、特性のこの選択が技術的利点を付与するために十分であるか、又は本発明を従来技術から区別するために十分である場合には、特に可能である。この選択は、少なくとも１つの特徴、好ましくは機能的特徴を含み、構造的詳細は含まないか、又は技術的利点を付与するために、若しくは本発明を従来技術から区別するためにその一部のみで十分である場合には、構造的詳細の一部分のみを含む。
【００２３】
図３ａは、本発明によるシステムの観測平面における、
−測定域２のスペクトル放射の空間分布が測定される、物体１、
−観測平面による本発明によるシステム１００であって、当該観測平面は、システム１００の光軸と測定域１０２の観測方向とによって決定される、システム１００、
を表す。
【００２４】
システム１００は、
−結像部２００、
−検出部３００、
を備える。
【００２５】
結像部は、第１の収束対物レンズ２０２；選択スリット２０４；第２の収束対物レンズ２０６；絞り２０８；絞り２０８のできるだけ近接して配置され、１つの特定の方位から来る選択スリット２０４によって選択された光が分散できるようにする、光分散手段２１０；及び第３の対物レンズ２１２；を備える。
【００２６】
分析中の物体１の面は、第１の対物レンズ２０２の焦点平面に配置される。
【００２７】
測定域２及び対物レンズ２０２は、フーリエ面と呼ばれる平坦ではない面Ｓｆ１を、測定域２からの任意のビームがこの面上に収束するように、定義する。
【００２８】
本発明によれば、選択スリット２０４（図４Ａにおいてより明確に示される）は、所定の面Ｓｆ１に応じて決定され、面Ｓｆ１上に配置される。
【００２９】
検討中の実施形態では、不透明材料に形成されたスリットが使用され、システムの光軸と一致する回転軸を有する面上に配置される。スリットは、１つの特定の方位を選択できるようにする。
【００３０】
第２の対物レンズ２０６は、第１の対物レンズ２０２と絞り２０８との間に配置され、第１の対物レンズ２０２の光軸と一致する光軸を有し、システムの光軸を定義する。
【００３１】
また、第２の対物レンズ２０６は、絞り２０８の開口部が第１の対物レンズ及び第２の対物レンズによって測定域２と光学的に共役になるように配置される。
【００３２】
測定域１０２は、絞り２０８を通して観測されるときに、観測方向に関係無い見かけ上の面を有する。
【００３３】
光分散手段２１０は、プリズムと、伝送網と、選択スリット２０４に垂直な方向に光を分散させ、分散された光線をシステムの光軸に集めることができるようにするプリズムと、を組み合わせて備える。
【００３４】
絞り２１０は、伝送網にできるだけ近接して、この装置に組み込まれる。
【００３５】
これらの分散手段は、対物レンズ２１２の前に配置されている。
【００３６】
対物レンズ２１２は、絞り２０８と検出部３００との間で、その光軸がシステム１００の光軸と一致するように、配置される。対物レンズ２１２はまた、対物レンズ２０６によってフーリエ面Ｓｆ１が第２のフーリエ平面Ｓｆ２上に再結像されるように、配置される。
【００３７】
分散要素２１０及び伝達光学系２１２は、従来技術によるものよりもはるかに単純な画像分光器として機能する。
【００３８】
図３ｂは、直線分析部に垂直な面、すなわち分散平面内における、図３ａの装置１００の概略図である。
【００３９】
検出部３００は、第２のフーリエ平面Ｓｆ２上に配置され、分散光が受光できるようにし、スリット２０４によって選択された１つの特定の方位から来る光のスペクトル応答及び角度応答が決定できるようにする、イメージングセンサ３０２を備える。
【００４０】
イメージングセンサ３０２は、二次元センサ（例えば、光検出器のマトリクス又はＣＣＤを備える）であり、選択手段の所与の位置について、一方では、同一方向において角度シータに依存する光強度を、他方では、垂直方向において波長に依存する光強度を分析できるようにする。有利には、このセンサは、その軸がこれらの２つの方向に対応するように、配置される。
【００４１】
図４ａは、３つのレンズを含むフーリエ光学系２０２の一実施形態を示す。様々な角度の光ビームは、これらの３つのレンズを通過することによって、次第に光軸の方向に向けられる。フーリエ面Ｓｆ１は、平面ではなく、むしろ回転対称な面である。
【００４２】
１つの方位を選択するスリット２０４は、図４ｂに示すように、回転物体上に生成される。
【００４３】
図５ａは、フーリエ面Ｓｆにおける、フーリエ光学系２０２の横方向色収差の影響の概略図である。
【００４４】
物体１上に集光角度θで集光された所与の光ビームに対して、各波長λは、システムの光軸から多少離れた点に収束される。図５は特に、ｋＲθ１、ｋｖθ１、及びｋＢθ１の３つの異なる波長に対して、この影響を、集光角θ１に対して示している。
【００４５】
この影響は、通常、角度θが増加することにつれて、ますます大きくなる。
【００４６】
イメージングセンサ３０２上のピクセル／ペア対応（θ、λ）を較正することによってこの影響を考慮することは、図５ｂにおいて提案されているように達成することができる。
【００４７】
好ましい実施形態では、視野レンズは、選択スリットから来る特定の方向各々に対して、絞り２０８上に準平行ビームを生成する。これは、これらのレンズの設計上の制約がフーリエ平面全体を分析する従来のフーリエシステム（参考文献［３］及び図１）よりも少ないため、技術的に可能である。実際、従来のフーリエシステムは、完全に色収差が無しでなければならず、波長が何であっても、１つの特定の放射方向はイメージングセンサの面上の同じ点に収束しなければならない。これは、従来のシステムでは、視野レンズ４及び伝達光学系７によってフーリエ光学系２の不可避の色収差を補正することによって、達成される。
【００４８】
これは、本発明の装置には当てはまらない。実際、フーリエ光学系２０２の設計上の制約は軽減される：必要なことは、関与するスペクトル範囲（典型的には可視範囲）において、縦方向色収差が最小であることだけである。実際、物体上に集光された光ビームの様々なスペクトル成分は、フーリエ面を構成する同じ焦点面Ｓｆ１上に完全に集束されなければならない。対照的に、図５ａ及び図５ｂに示すように、横方向色収差は問題を生じない。実際、物体１の同じ角度から来る光ビームは、容易にフーリエ面の異なる点に収束され得る。これは、３つの異なる入射角から来る赤色（Ｒ）、緑色（Ｖ）及び青色（ｂ）のビームについての図４ａの詳細を図示する図５ａに、概略的に示されている。さらなるスペクトル分散によって寄与を分離することができるので、物体１の面上の同じ入射角からくるビームの位置は、大きな欠点無しに異なり得る。これは、単に、図５ｂに示されるように、分析される様々な波長に対するイメージングセンサ上のピクセル／角度対応の異なる校正をもたらす。
【００４９】
スペクトル分析は、システムの特定の要素を同時に回転させる手段を加えることによって、他の方位に拡張することができる。選択要素２０４及び光分散要素２１０は、回転固定方式で取り付けることができる。したがって、スキャニングによって分析域全体を再構成することが可能である。実際、選択スリット２０４及び分散素子２１０がシステムの光軸の周りで同時に回転される場合、当該２つの要素の各位置に対するピクセル／角度及び波長依存性が正しく較正されていれば、一連の方位全体のリアルタイムスペクトル分析を達成することが連続的に可能である。したがって、放射性物体の開口角度全体のスペクトル分析を、高速かつ高角度分解能で達成することができる。
【００５０】
明らかに、本発明は、説明されたばかりの実施形態に限定されず、本発明の範囲から逸脱すること無しに、これらの実施形態に多くの変形を行うことができる。さらに、本発明の異なる特徴、形式、変形、及び実施成形は、それらが互いに矛盾が無く、又は互いに排他的でないと限りで、異なる組み合わせにしたがって互いに関連付けることができる。
【図面の簡単な説明】
【００５１】
【図１】図１は、従来技術によるシステムの概略図を表す。
【図２】図２は、従来技術によるシステムの概略図を表す。
【図３】図３は、本発明によるシステムの概略図を表す。
【図４】図４は、本発明によるシステムのフーリエ光学系の実施形態、及び前記光学系に関連する選択手段を表す。
【図５】図５は、フーリエ面における、図４に表されるフーリエ光学系の横方向色収差の影響の概略図である。
【図１】
2021519927.tif 000003
【図２ａ】
2021519927.tif 000004
【図２ｂ】
2021519927.tif 000005
【図３．ａ】
2021519927.tif 000006
【図３．ｂ】
2021519927.tif 000007
【図４ａ−４ｂ】
2021519927.tif 000008
【図５ａ】
2021519927.tif 000009
【図５ｂ】
2021519927.tif 000010
【国際調査報告】
2021519927.tif 000011
2021519927.tif 000012
2021519927.tif 000013
2021519927.tif 000014